(57)【要約】【課題】  ワイヤーを利用した従来の眼鏡フレームが有する問題点を解決できる眼鏡フレームを提供する。【解決手段】  ばね性を有するワイヤー１０から形成される眼鏡フレームであって、耳掛け部、ヨロイ、ブリッジ又はフロントフレームを含む前記眼鏡フレームの構成部材を所定形状の構成部材１１〜１４で形成し、構成部材１１〜１４にワイヤー１０を挿通させることで、構成部材１１〜１４どうしを連結するとともに、ワイヤー１０に対して構成部材１１〜１４を摺動可能及び／又は回転可能とした。【選択図】  図１
2019152826.tif 000002
【特許請求の範囲】
【請求項１】
ばね性を有するワイヤーから形成される眼鏡フレームであって、
耳掛け部、ヨロイ、ブリッジ、リム又はフロントフレームを含む前記眼鏡フレームの構成部材に所定形状の貫通孔を形成し、
前記貫通孔に前記ワイヤーを挿通させることで前記構成部材どうしを連結するとともに、
前記ワイヤーに対して前記構成部材を摺動可能及び／又は回転可能としたこと、
を特徴とする眼鏡フレーム。
【請求項２】
前記ワイヤーが、金属又は樹脂で形成された単線、金属又は樹脂若しくはこれらの複合体で形成された撚り線又は編み線であることを特徴とする請求項１又は２に記載の眼鏡フレーム。
【請求項３】
一本の前記ワイヤーを、一方の前記耳掛け部、一方の前記ヨロイ、一方の前記フロントフレーム又は前記ブリッジ、他方の前記ヨロイ及び他方の前記耳掛け部の順で挿通させたことを特徴とする請求項１又は２に記載の眼鏡フレーム。
【請求項４】
カメラ、発光体又は補助レンズを含む機能部材を、機能部材用のワイヤーに取り付けて保持させ、前記機能部材用のワイヤーを前記構成部材に設けた支持部材の貫通孔に挿通させ、前記支持部材に対して前記前記機能部材用のワイヤーを摺動自在又は回転自在としたことを特徴とする請求項１〜３のいずれかに記載の眼鏡フレーム。
【請求項５】
前記ワイヤーの断面形状及び前記構成部材の貫通孔の孔形状を多角形とし、前記ワイヤーを前記構成部材に対して段階的に回転可能としたことを特徴とする請求項１〜４のいずれかに記載の眼鏡フレーム。
【請求項６】
複数本の金属線からなる撚り線の前記ワイヤーの前記金属線間に隙間を設け、前記貫通孔に前記ワイヤーを挿通させたときに前記ワイヤーが径方向に弾性変形するようにしたことを特徴とする請求項１〜５のいずれかに記載の眼鏡フレーム。
【請求項７】
前記ワイヤーを前記眼鏡フレームの中央で左右に分割し、左右の前記リム又は前記フロントフレームを構成する各構成部材の前記貫通孔を挿通する前記ワイヤーを摺動させることで、レンズの端縁に沿って前記ワイヤーを収納できるようにしたことを特徴とする請求項１〜６のいずれかに記載の眼鏡フレーム。
【発明の詳細な説明】
【技術分野】
【０００１】
本発明は、金属線、樹脂線、撚り線又は編み線などのワイヤーを用い、耳掛け部、ヨロイ、ブリッジ又はフロントフレームを含む前記眼鏡フレームの構成部材を前記ワイヤーで連結した眼鏡フレームに関する。
【背景技術】
【０００２】
主としてヒンジレス化や軽量化を目的として、βチタンなどの弾性に富んだワイヤーを使った眼鏡フレームが知られている（例えば特許文献１〜５参照）。
この種の眼鏡フレームにおいては、前記ワイヤーに曲げ加工やプレス加工を施して、所定形状のテンプル、フロントフレーム、ブリッジなどに成形し、これらを連結して眼鏡フレームを形成している。
また、例えば一本のワイヤー（丸棒）に曲げ加工やプレス加工を施してブロ−バ（ブリッジ）、エンドピ−ス、テンプルの各部を一体に成形することで、前記一本のワイヤーから眼鏡フレームを形成したものも知られている。
【先行技術文献】
【特許文献】
【０００３】
【特許文献１】特開２００１−３０５４９０号公報
【特許文献２】特開平９−１７９０７０号公報
【特許文献３】特開２０００−３０５０４９号公報
【特許文献４】特開２００１−８３４６４号公報
【特許文献５】特開２００１−１９４６２９号公報
【発明の開示】
【発明が解決しようとする課題】
【０００４】
しかし、βチタンなどばね性に富むワイヤーは精密な曲げ加工やプレス加工が難しいことから、ワイヤーを利用した従来の眼鏡フレームにおいては以下のような問題がある。
（１）  眼鏡フレームを構成するテンプル、フロントフレーム、ブリッジなどの各構成部材を、前記ワイヤーの曲げ加工やプレス加工によって形成しようとする場合、左右均等に加工することが困難で加工に時間がかかる。
（２）  眼鏡フレームの形成後に各部のバランスを取るいわゆる「調子取り」作業の負担も増大する。
（３）  （１）（２）の事情から、一様な品質の製品を安価かつ大量に市場に投入することが難しい。
（４）  眼鏡販売店等において、各部のバランスを保ちつつ眼鏡装着者の顔にフィットするように各構成部材を微調整することが難しい。
（５）  各構成部材の形状とバランスを決めてしまうと、その後の変更や調整は難しいことから、一つの眼鏡フレームを例えば通常仕様とスポーツ仕様とで変更することが事実上できず、各シーンに応じて異なる使用の眼鏡フレームを準備しなければならない。
本発明は、上記した従来技術の問題点を一挙に解決するべくなされたものである。
【課題を解決するための手段】
【０００５】
上記目的を達成するために請求項１に記載の発明は、ばね性を有するワイヤーから形成される眼鏡フレームであって、耳掛け部、ヨロイ、ブリッジ、リム又はフロントフレームを含む前記眼鏡フレームの構成部材に所定形状の貫通孔を形成し、前記貫通孔に前記ワイヤーを挿通させることで前記構成部材どうしを連結するとともに、前記ワイヤーに対して前記構成部材を摺動可能及び／又は回転可能とした構成としてある。
【０００６】
請求項２に記載するように、前記ワイヤーとしては金属又は樹脂で形成された単線、金属又は樹脂若しくはこれらの複合体で形成された撚り線又は編み線を用いることができる。
【０００７】
また、請求項３に記載するように、一本の前記ワイヤーを、一方の前記耳掛け部、一方の前記ヨロイ、一方の前記フロントフレーム又は前記ブリッジ、他方の前記ヨロイ及び他方の前記耳掛け部の順で挿通させるようにしてもよい。
【０００８】
さらに、請求項４に記載するように、カメラ、発光体又は補助レンズを含む機能部材を、機能部材用のワイヤーに取り付けて保持させ、前記機能部材用のワイヤーを前記構成部材に設けた支持部材の貫通孔に挿通させ、前記支持部材に対して前記前記機能部材用ワイヤーを摺動自在又は回転自在に挿通させてもよい。
【０００９】
また、請求項５に記載するように、前記ワイヤーの断面形状及び前記構成部材の貫通孔の孔形状を多角形とし、前記ワイヤーを前記構成部材に対して段階的に回転可能とすることができる。
【００１０】
さらに、請求項６に記載するように、複数本の金属線からなる撚り線の前記ワイヤーの前記金属線間に隙間を設け、前記貫通孔に前記ワイヤーを挿通させたときに前記ワイヤーが径方向に弾性変形するようにしてもよい。前記隙間は、撚り線のピッチや金属線の線径を適宜に選択した上で、一定条件下で前記ワイヤーにスウェージング加工、圧延加工又はプレス加工等を施すことで形成することができる。そして、これら加工後の線径に対して若干小径の前記貫通孔に前記ワイヤーを挿通させることで、前記ワイヤーが径方向に弾性変形する。
【００１１】
また、請求項７に記載するように前記ワイヤーを前記眼鏡フレームの中央で左右に分割し、左右の前記リム又は前記フロントフレームを構成する各構成部材の前記貫通孔を挿通する前記ワイヤーを摺動させることで、レンズの端縁に沿って前記ワイヤーを収納できるようにしてもよい。
【発明の効果】
【００１２】
このように本発明では、ばね性を有するワイヤーに曲げ加工やプレス加工を施すのではなく、耳掛け部、ヨロイ、ブリッジ、フロントフレームなど眼鏡フレームを構成する各構成部材の形状に応じた構成部材を準備し、前記ワイヤーをこの構成部材に挿通させることで前記ワイヤーが各構成部材の形状に応じて弾性変形するようにしている。そのため、ワイヤーの加工が不要となり、前記各構成部材の左右均等配置も容易に行うことができる。
【００１３】
また、前記構成部材は前記ワイヤーに対して摺動させることで位置調整が自在で、かつ、回転も可能であるため、左右のバランスが取りやすくなり、一様な品質の製品を安価かつ大量に生産することも可能であるうえ、眼鏡販売店等において、各部のバランスを保ちつつ眼鏡装着者の顔にフィットするように各構成部材を微調整することも容易である。
【００１４】
さらに、前記構成部材をワイヤーに対して摺動、回転又は交換することで、各構成部材の位置や形状を自在に変更することが可能で、眼鏡装着者の顔幅や頭の大きさが変化しても、ワイヤーに対する構成部材の前後方向又は左右方向の位置や回転角度位置を変えたり、前記構成部材を形の異なる別のものに取り替えたりすることで容易に対応が可能になるほか、一つの眼鏡フレームを例えば通常仕様とスポーツ仕様とで切り替えることも容易で、各シーンに応じて一つの眼鏡フレームを多様に使い分けることが可能になる。
【００１５】
また、前記ワイヤーにスウェージング加工、圧延加工又はプレス加工等を施して金属線間に隙間を形成し、前記ワイヤーが径方向に弾性変形できるようにすることで、前記貫通孔の孔径との関係で前記構成部材に対する前記ワイヤーの摺動抵抗の大きさを調整することができるほか、スウェージング加工、圧延加工又はプレス加工等によって眼鏡フレームの外観的なデザイン性を向上させることもできる。
【００１６】
さらに、前記ワイヤーを前記眼鏡フレームの中央で左右に分割し、左右の前記リム又は前記フロントフレームを構成する各構成部材の前記貫通孔を挿通する前記ワイヤーを摺動させることで、レンズの端縁に沿って前記ワイヤーを収納できるようになり、不使用時の眼鏡フレームをフラット又は薄型にすることができる。
【発明を実施するための最良の形態】
【００１７】
以下、本発明の好適な実施形態を、図面を参照しつつ詳細に説明する。
［第一の実施形態］
図１は、本発明の眼鏡フレームの第一の実施形態を示す概略斜視図で、（ａ）は眼鏡フレームの組立前の状態を、（ｂ）はワイヤーを通して眼鏡フレームを組み立てた状態のものを示している。
この実施形態の眼鏡フレーム１は、真鍮、ステンレス、チタンなどの金属や樹脂などで形成され、眼鏡フレーム１を構成する耳掛け部、ヨロイ、ブリッジ、リム又はフロントフレームなどの各構成部材としての第一の構成部材１１〜第四の構成部材１４と、これら第一の構成部材１１〜第四の構成部材１４の各々に形成された貫通孔を挿通させてこれらの構成部材を連結するワイヤー１０とを有している。第一の構成部材１１〜第四の構成部材１４は、耳掛け部、ヨロイ、ブリッジ、リム又はフロントフレームなどの各構成部材の形状に応じた形状に形成されるが、この実施形態では第一の構成部材１１〜第四の構成部材１４は所定の形状に湾曲又は屈曲させて形成された筒状体で形成されているものとする。
【００１８】
［ワイヤー］
ワイヤー１０としては、湾曲状に形成された第一の構成部材１１〜第四の構成部材１４などの各構成部材を挿通させても塑性変形せず、かつ、眼鏡フレーム１のフレーム部材として十分な弾性と剛性を有する金属や樹脂などを用いるのが好ましい。このような条件を有するのであれば、金属又は樹脂の単線であってもよいし、金属又は樹脂若しくはこれらの複合体で形成された撚り線や編み線であってもよい。超弾性合金（βチタンなど）を用いた撚り線を好適に用いることができる。
【００１９】
ワイヤー１０は直線状で断面円形状のものを用いるが、眼鏡フレーム１を完成させたときに一部にばね性が生じるように、予め当該一部に相当する部分に曲げ加工が施されているものを用いてもよい。
また、この実施形態では一本のワイヤー１０から眼鏡フレーム１を形成しているため、その長さは、形成しようとする眼鏡フレーム１の全長とほぼ同じ長さとしてある。図示するような通常形の眼鏡フレーム１においては、その大きさによっても異なるが、概ね４０ｃｍ〜５０ｃｍ程度を目安とすることができる。
【００２０】
［構成部材］
第一の構成部材１１〜第四の構成部材１４は、ワイヤー１０を挿通できる貫通孔１０ａ〜１４ａを有し、各々が耳掛け部、ヨロイ、ブリッジ、リム又はフロントフレームなど眼鏡フレーム１の各構成部材に応じた形状に形成されている。第一の構成部材１１〜第四の構成部材１４の貫通孔１１ａ〜１４ａにワイヤー１０を挿通した後に、これらを各構成部材の形状に応じた形状に形成してもよいが、眼鏡フレーム１の左右のバランスや形成のしやすさなどを考慮すると、第一の構成部材１１〜第四の構成部材１４は予め各構成部材に応じた形状に形成しておいた方が有利である。
【００２１】
また、貫通孔１１ａ〜１４ａの内径は、ワイヤー１０の線径よりも若干大きくする。ただし、貫通孔１１ａ〜１４ａの内径がワイヤー１０の線径より大き過ぎると、ワイヤー１０を前記貫通孔に挿通させたときに、ワイヤー１０と貫通孔１１ａ〜１４ａの内壁との間に大きな隙間ができて、ワイヤー１０を所望の形状に弾性変形させることが困難になるうえ、第一の構成部材１１〜第四の構成部材１４がワイヤー１０に対して位置ずれしやすくなるという不具合が生じる。一方、貫通孔１１ａ〜１４ａの孔径が小さ過ぎると、ワイヤー１０を挿通させにくくなり、過大な力で挿通させよとすると第一の構成部材１１〜第四の構成部材１４が変形してしまうという不具合が生じるおそれがある。そのため、貫通孔１１ａ〜１４ａの内径は、ワイヤー１０を適度な抵抗で挿通でき、かつ、第一の構成部材１１〜第四の構成部材１４がワイヤー１０に対して容易に位置ずれしない（滑らない）ものを選択する。
【００２２】
この実施形態において第一の構成部材１１は、テンプルの耳掛け部を構成する構成部材で、眼鏡フレーム１の左右に一つずつ設けられる。第一の構成部材１１は、前記耳掛け部に応じた長さを有し、かつ、眼鏡装着者の耳に掛けることができるように一部を湾曲状又は屈曲状に形成されている。
第二の構成部材１２は、ヨロイを構成する構成部材で、レンズ２の左右両側に一つずつ設けられる。この第二の構成部材１２は、前記ヨロイに応じた長さと形状を有していて、眼鏡フレーム１のフロント部分とテンプルとを連結するように湾曲状又は屈曲状に形成されている。
【００２３】
第三の構成部材１３は、レンズ２を保持するリムを構成する構成部材で、レンズ２の配置に合わせて左右に一つずつ設けられる。左右のレンズ２は、左右の第三の構成部材１３に、ナイロールやリム線などによって支持される。
第四の構成部材１４は、ブリッジを構成する構成部材で、左右の第三の構成部材１３の間に配置される。図示はしないが、この第四の構成部材１４には、鼻パットを支持する箱足が取り付けられる。
【００２４】
図１（ａ）に示すように、一方の第一の構成部材１１の後端から直線状のワイヤー１０を第一の構成部材１１の貫通孔に挿入し、第一の構成部材１１の前端まで挿通させる。ワイヤー１０は第一の構成部材１１の形状に沿って弾性変形しつつ、第一の構成部材１１の前端から突出する。次いで、ワイヤー１０の先端を一方の第二の構成部材１２の貫通孔の後端に挿入し、前端まで挿通させる。同様にして、一方の第三の構成部材１３，第四の構成部材１４，他方の第三の構成部材１３，他方の第二の構成部材１２を経て、他方の第一の構成部材１１へとワイヤー１０を挿通させる。そして、第一の構成部材１１〜第四の構成部材１４の各々の間隔を、眼鏡装着者の顔にフィットするように調整する。この後、第一の構成部材１１〜第四の構成部材１４の各々をワイヤー１０に対して回転又は摺動させるなどして、左右の均等化や調子取りを行う。
以上の手順で組み立てられた眼鏡フレーム１を図１（ｂ）に示す。
【００２５】
［作用］
上記構成の本発明の眼鏡フレーム１は、以下のように作用する。
耳掛け部を構成する第一の構成部材１１をワイヤー１０に対して図１（ｂ）中矢印Ｙ１の方向に摺動させることで、前記耳掛け部の前後位置の調整が可能である。また、第一の構成部材１１をワイヤー１０に対して図１（ｂ）中矢印Ｘ１の方向に回転させることで、耳掛け部を眼鏡装着者の頭部に押し付けたり、耳掛け部を眼鏡装着者の頭部に沿わせるなどして、脱落抑制やずれ抑制の効果を高めることができる。
【００２６】
ヨロイを構成する第二の構成部材１２をワイヤー１０に対して図１（ｂ）中矢印Ｙ２の方向に摺動させることで、左右のテンプル幅の調整が可能である。この際、左右の第二の構成部材１２の摺動に伴って第二の構成部材１２と第一の構成部材１１との間隔も変化するが、第一の構成部材１１をワイヤー１０に対して前後方向（Ｙ１方向）に摺動させることで、当該間隔を一定に保つことができる。また、第二の構成部材１２をワイヤー１０に対して図１（ｂ）中矢印Ｘ２の方向に回転させることで、レンズ２及びフロント部分に対するテンプルの角度を調整することが可能である。さらに、第二の構成部材１２の形状を適宜に選択すれば、第二の構成部材１２を矢印Ｘ２の方向に９０°回転させることで、テンプル部分を眼鏡フレーム１のフロント部分に沿わせて折り畳むことも可能になる。
【００２７】
リムを構成する第三の構成部材１３をワイヤー１０に対して図１（ｂ）中矢印Ｙ３の方向に摺動させることで、左右のレンズ２の間隔調整が可能である。この場合、第二の構成部材１２の位置を変えずに（すなわちテンプル幅を変えずに）、左右のレンズ２の間隔調整を行うことは可能であるが、必要に応じて第二の構成部材１２をＹ２方向に摺動させてその位置調整をすることは可能であり、かつ、第二の構成部材１２の位置調整に伴って第一の構成部材１１をＹ１方向に摺動させてその位置調整を行うことも可能である。
【００２８】
［第二実施形態］
図２は本発明の眼鏡フレームの第二の実施形態を示す図である。
図２（ａ）の例では、耳掛け部である第一の構成部材１１を眼鏡装着者の頭部に押し付ける方向に付勢する第五の構成部材１５が第一の構成部材１１と第二の構成部材１２の間に配置されている。第五の構成部材１５は、ワイヤー１０を内側に指向させるように湾曲状又は屈曲状に形成されている。このような第五の構成部材１５を用いることで、第一の構成部材１１が眼鏡装着者の頭部に押し付けられ、運動時や作業時にずれにくく脱落しにくい眼鏡フレーム１を得ることができる。眼鏡装着者の頭部への押し付け力は、第五の構成部材１５を湾曲又は屈曲の度合いが異なる別の第五の構成部材１５に交換することによるほか、第五の構成部材１５をワイヤー１０に沿って図２中矢印Ｙ５の方向に摺動させるかＸ５方向に回転させることで調整が可能である。
【００２９】
図２（ｂ）の例では、眼鏡装着者の側頭部に当接するように内側に湾曲する第六の構成部材１６が、第一の構成部材１１と第二の構成部材１２の間に配置されている。このような第六の構成部材１６を用いることで、鼻パッドレスの眼鏡フレーム１を得ることができる。眼鏡装着者の側頭部に第六の構成部材を当接させる位置は、第六の構成部材１６をワイヤー１０に沿って図２（ｂ）中矢印Ｙ６の方向に摺動させることで調整が可能である。
【００３０】
図２（ｃ）の例では、第二の構成部材１２に第七の構成部材１７が設けられていて、この第七の構成部材１７の貫通孔にワイヤー３０が挿通している。そして、このワイヤー３０は、第八の構成部材１８の貫通孔によってその指向方向が決定され、その先端にディスプレーや発光部等の機能部３１が取り付けられている。ワイヤー３０を第七の構成部材１７に対して摺動させることで、機能部３１とレンズ２との間隔の調整が自在であり、ワイヤー３０を第八の構成部材１８に対して摺動させることで、レンズ２に対する機能部３１の左右方向の位置調整が自在である。また、ワイヤー３０を第七の構成部材１７に対して回動させることで、機能部３１をレンズ２の前面から眼鏡装着者の視界の外側に退避させることができ、ワイヤー３０を第八の構成部材１８に対して回動させることで、レンズ２に対する機能部３１の傾斜角度の調整が自在である。
【００３１】
［第三の実施形態］
図３は本発明の眼鏡フレームの第三の実施形態を示す図である。
この実施形態では、二つの構成部材であるリムとブリッジが一体となった第三の構成部材１３を有し、この両側にヨロイを構成する第二の構成部材１２が配置されている。また、ワイヤー１０の両端にはストッパ１９が設けられていて、第一の構成部材１１がワイヤー１０から抜脱しないように規制している。
第一の構成部材１１は眼鏡装着者の頭部に沿うように湾曲状に形成されている。そして、この第一の構成部材１１を回転（回転方向を矢印Ｘで示す）させることで、（ａ）に示すように、ワイヤー１０の後端部分は位置Ｉと位置IIとの間で移動する。例えばウォーキングなどの軽めの運動のときにはワイヤー１０の後端部分を位置Ｉに位置させておき、ジョギングやマラソンなどのようにやや強めの運動をするときにはワイヤー１０の後端部分を位置IIに移動させて、眼鏡装着者の頭部から眼鏡フレーム１が容易にすれたり脱落したりしにくいようにする。
【００３２】
また、この実施形態において第二の構成部材２は、（ａ）に示すように眼鏡フレーム１の前面側から側面側に向けて湾曲する湾曲状に形成されていり。そのため、この第二の構成部材１２を回転（回転方向を矢印Ｘ２で示す）させることで、（ｂ）に示すように、ワイヤー１０のテンプル部分の高さ位置をIII,IV,Vと変化させることができる。
【００３３】
［第四の実施形態］
図４は、ワイヤー１０にスウェージング加工を施した本発明の眼鏡フレームの第四の実施形態を示す図で、（ａ）はワイヤー１０の断面図、（ｂ）はスウェージング加工を施したワイヤー１０′の断面図、（ｃ）はワイヤー１０′を第一〜第四の構成部材１１〜１４の貫通孔１１ａ〜１４ａに挿通させた状態の断面図である。
図４（ａ）に示すようにこの実施形態のワイヤー１０は、複数本（図示の例では三本）の金属線を撚ってなる金属撚り線である。そしてこの撚り線のワイヤー１０にスウェージング加工を施して（加工後のワイヤーを１０′で示す）、（ｂ）に示すように各金属線間に隙間ｓが形成されるようにしている。スウェージング加工によってワイヤー１０に隙間ｓを形成するための条件は、金属線の種類や径、撚り線の径及びピッチ、スウェージング加工によって付与される押圧力の大きさなどによるが、本願出願人による特開２０１７−１９１１６８号公報に開示された条件を参考とすることができる。
【００３４】
この隙間ｓにより、ワイヤー１０′は径方向に弾性を有することになる。図４（ａ）（ｂ）に示すように、スウェージング加工前のワイヤー１０の外径をｄ、加工後のワイヤー１０′の外径をｄ′とすると、スウェージング加工前後のワイヤー１０，１０′の外径ｄ，ｄ′はｄ＞ｄ′の関係にある。図４（ｃ）に示すように、第一の構成部材１１〜第四の構成部材１４の貫通孔１１ａ〜１４ａの内径をＤとすると、この内径Ｄとワイヤー１０′の外径ｄ′とはＤ＜ｄ′の関係にある。そのためワイヤー１０′を貫通孔１１ａ〜１４ａに挿通させると、図４（ｃ）に示すようにワイヤー１０′は、隙間ｓの範囲内でその外径ｄ′が弾性的に縮径する。ワイヤー１０′はスウェージング加工によって貫通孔１１ａ〜１４ａの内面との接触面積が増し、かつ、外径ｄ′方向への弾性変形により、第一の構成部材１１〜第四の構成部材１４に対する摺動抵抗が大きくなって、位置ずれしにくくなる。貫通孔１１ａ〜１４ａの内径Ｄと隙間ｓとの関係を適宜に調整することで、前記摺動抵抗の大小を調整することができる。
【００３５】
［第五の実施形態］
図５は、本発明の眼鏡フレームの第五の実施形態を示す図である。
この実施形態では、左右のレンズ２は左右のリムである第三の構成部材１３によって支持されているとともに、ブリッジ１４′によって連結されている。ワイヤー１０は左右に二分割されていて、各々のワイヤー１０は第二の構成部材１２側から第三の構成部材１３を挿通させている。左右のワイヤー１０のそれぞれには、第三の構成部材１３の貫通孔１３ａから突出する一端に球状のストッパ１０ａが形成されていて、第三の構成部材１３の貫通孔１３ａからワイヤー１０が脱出しないようになっている。また、ワイヤー１０のテンプル部分は、テンプル形状に合わせて湾曲状に形成され、その一端にはストッパ１９が設けられている。
【００３６】
眼鏡フレームの不使用時には、ストッパ１９が第二の構成部材１２に当接するまでワイヤー１０を第二の構成部材１２の貫通孔に向けて押し込む。これにより、（ｂ）に示すように、ワイヤー１０が、第三の構成部材１３の貫通孔の出口からレンズ２の上端縁部分に沿って延出する。左右のワイヤー１０はレンズ２の上端縁部分に沿って平行に重なり合うことになる。ストッパ１９が第二の構成部材１２に当接した後は、第二の構成部材１２を回転させてレンズ２の側端縁に沿わせることで、（ｃ）に示すように、ワイヤー１０と第二の構成部材１２とがレンズ２の端縁に沿って収納され、不使用時の眼鏡フレームを平坦かつ薄型に収納することが可能になる。
【００３７】
本発明の好適な実施形態について説明したが、本発明は上記の説明に限定されない。
例えば、上記の説明で第一の構成部材１１〜第四の構成部材１４は筒状体で形成されているものとして説明したが、第一の構成部材１１〜第四の構成部材１４は種々のデザインとすることができ、このような場合はこれらに形成する貫通孔１１ａ〜１４ａの形状によって、ワイヤー１０の指向方向を決定することができる。
例えば第一の実施形態において、左右の第三の構成部材１３と第四の構成部材１４を一体としてもよいし、第三の構成部材１３と第二の構成部材１２とを一体としてもよい。
【００３８】
また、第一〜第四の実施形態では、一本のワイヤー１０を各構成部材１１，１２，１３，１４，１５，１６に挿通させることで眼鏡フレーム１を形成しているが、第五の実施形態と同様に二本のワイヤー１０を用いて眼鏡フレーム１を形成することも可能である。この場合は、例えばブリッジを構成する第四の構成部材１４によって、左右両側から各構成部材１１，１２，１３を挿通させてきたワイヤー１０を連結するようにする。同様にして三本以上のワイヤー１０によって眼鏡フレーム１を形成することも可能である。
【００３９】
さらにワイヤー１０の断面形状は円形状として説明したが、楕円形や角形、不定形状とすることでワイヤー１０に対する構成部材１１〜１７の回転を規制することができる。また、ワイヤー１０を６角形や８角形などの多角形とし、構成部材１１〜１７の貫通孔もこれに応じた形状とすることで、構成部材１１〜１７に対してワイヤー１０を、例えば６角形であれば６０°ごと、８角形であれば４５°ごとに段階的に回転させることが可能になる。
【図面の簡単な説明】
【００４０】
【図１】本発明の眼鏡フレームの第一の実施形態を示す概略斜視図で、（ａ）は眼鏡フレームの組立前の状態を、（ｂ）はワイヤーを通して眼鏡フレームを組み立てた状態のものを示している。
【図２】本発明の眼鏡フレームの第二の実施形態を示す図である。
【図３】本発明の眼鏡フレームの第三の実施形態を示す図である。
【図４】ワイヤーにスウェージング加工を施した本発明の眼鏡フレームの第四の実施形態を示す図で、（ａ）はワイヤーの断面図、（ｂ）はスウェージング加工を施したワイヤーの断面図、（ｃ）はワイヤーを第一〜第四の構成部材の貫通孔に挿通させた状態の断面図である。
【図５】本発明の眼鏡フレームの第五の実施形態を示す図である。
【符号の説明】
【００４１】
１        眼鏡フレーム
１０      ワイヤー
１０′    ワイヤー
１０ａ    ストッパ
１１      第一の構成部材
１１ａ    貫通孔
１２      第二の構成部材
１２ａ    貫通孔
１３      第三の構成部材
１３ａ    貫通孔
１４      第四の構成部材
１４ａ    貫通孔
１５      第五の構成部材
１６      第六の構成部材
１７      第七の構成部材
１８      第八の構成部材
１９      ストッパ
２        レンズ
３０      ワイヤー
３１      機能部
【図１】
2019152826.tif 000003
【図２】
2019152826.tif 000004
【図３】
2019152826.tif 000005
【図４】
2019152826.tif 000006
【図５】
2019152826.tif 000007